【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
光電変換部と、入力部に入力された該光電変換部の出力を増幅して画素信号を出力する増幅部と、前記入力部をリセットするリセット部とを含んだ画素を行方向及び列方向に二次元的に配置した画素部と、
該画素部の読み出し行を選択する垂直走査部と、
単位画素毎に、前記光電変換部の出力に係る前記画素信号の第１出力レベルと、前記リセット時における前記画素信号に係る第２出力レベルとの差成分を得ることでノイズ抑圧を行うノイズ抑圧処理機能及び所定方向の複数の前記画素信号を混合する信号混合処理機能とを備えたノイズ抑圧部と、
該ノイズ抑圧部を経た前記水平方向に係る画素信号を順次、水平信号線から出力させる水平走査部と、
前記ノイズ抑圧処理後の画素信号を前記水平信号線に出力させる第１のモード及び前記ノイズ抑圧処理と前記信号混合処理の並列処理後の画素信号を前記水平信号線に出力させる第２のモードの各モードに応じた制御を行うモード制御部とを備えたことを特徴とする固体撮像装置。
【請求項２】
前記ノイズ抑圧部は、前記列毎に設けられた容量と、少なくとも２つ以上の前記容量を接続するスイッチとを有し、前記モード制御部は、前記第２のモードにおいて、前記容量に前記第１出力レベル又は前記第２出力レベルのいずれか一方の出力レベルの印加に引き続いて他方の出力レベルの印加が行われるサンプル期間内で、前記スイッチによる複数の前記容量の接続を実行するように制御することを特徴とする請求項１に係る固体撮像装置。
【請求項３】
前記ノイズ抑圧部は、前記列毎に、第１の容量と、第２の容量と、前記第１の容量と前記第２の容量とを接続する第１のスイッチと、複数の前記第１の容量を接続する第２のスイッチとを有し、前記モード制御部は、前記第２のモードにおいて、前記第１の容量に前記第１出力レベル又は前記第２出力レベルのいずれか一方の出力レベルの印加に引き続いて他方の出力レベルの印加が行われるサンプル期間内で、前記第２のスイッチによるＮ個（但し、Ｎ≧２）の前記第１の容量の接続、且つ前記第１のスイッチによるＭ個（但しＭ＜Ｎ）の前記第２の容量の接続を実行するように制御することを特徴とする請求項１に係る固体撮像装置。
【請求項４】
前記ノイズ抑圧部は、前記列毎であって且つ複数の行の各々に対応して並列に設けられた複数の第１の容量と、前記列の複数の第１の容量を選択的に接続する第１のスイッチとを有し、前記モード制御部は、前記第２のモードにおいて、前記第１の容量に前記第１出力レベル又は前記第２出力レベルのいずれか一方の出力レベルの印加に引き続いて他方の出力レベルの印加が行われるサンプル期間内で、前記第１のスイッチにより選択された同一列に係る複数の前記第１の容量の接続を実行するように制御することを特徴とする請求項１に係る固体撮像装置。
【請求項５】
前記画素部は、前記列毎に複数の信号線を有し、同一列の複数の画素は所定の画素単位で異なる信号線に接続されており、複数の前記第１の容量は、各々、前記複数の信号線の信号線毎に設けられていることを特徴とする請求項４に係る固体撮像装置。
【請求項６】
前記ノイズ抑圧部は、異なる前記列の前記第１の容量を複数接続する第２のスイッチを更に有し、前記モード制御部は、前記第２のモードにおいて、前記サンプル期間内で、前記第２のスイッチにより異なる前記列の前記第１の容量の複数接続を実行するように制御することを特徴とする請求項４に係る固体撮像装置。
【請求項７】
前記ノイズ抑圧部は、第２の容量と、前記第１の容量と前記第２の容量とを接続する第３のスイッチとを更に有し、前記モード制御部は、第２のモードにおいて、前記サンプル期間内で、前記第２のスイッチによるＮ個（但し、Ｎ≧２）の前記第１の容量を接続、且つ前記第３のスイッチによるＭ個（但しＭ＜Ｎ）の前記第２の容量の接続を実行するように制御することを特徴とする請求項６に係る固体撮像装置。
【手続補正２】
【補正対象書類名】明細書
【補正対象項目名】０００７
【補正方法】変更
【補正の内容】
【０００７】
なお、各ノイズ抑圧回路ＣＤＳ１〜ＣＤＳ４において、サンプル用トランジスタＭ21〜Ｍ24のドレインは各垂直信号線Ｖ11〜Ｖ14に接続され、そのソースはホールド用容量Ｃ21〜Ｃ24の一端と入力バッファアンプＡ21〜Ａ24の入力端に接続され、そのゲートは共通にサンプル制御ラインφＳＨに接続されている。上記入力バッファアンプＡ21〜Ａ24の出力端にはクランプ用容量Ｃ31〜Ｃ34の一端が接続されており、上記ホールド用容量Ｃ21〜Ｃ24の他端とクランプ用トランジスタＭ31〜Ｍ34のドレインは共通に基準電圧ラインＲＥＦに接続され、そのソースは上記クランプ用容量Ｃ31〜Ｃ34の他端と出力バッファアンプＡ31〜Ａ34の入力端、つまりクランプ出力ラインＣＬ11〜ＣＬ14に接続され、そのゲートは共通にクランプ制御ラインφＣＬに接続されている。
【手続補正３】
【補正対象書類名】明細書
【補正対象項目名】０００９
【補正方法】変更
【補正の内容】
【０００９】
ここで、ノイズ抑圧部４において、サンプル制御ラインφＳＨ＝Ｈ及びクランプ制御ラインφＣＬ＝Ｈとすることで、サンプル用トランジスタＭ21とＭ22及びクランプ用トランジスタＭ31とＭ32がＯＮ状態となり、クランプ出力ラインＣＬ11とＣＬ12は基準電圧ラインＲＥＦの電圧値ＶREF に設定され、クランプ用容量Ｃ31とＣ32には、次式（１），（２）に示す差電圧が蓄積される。
Ｃ31に蓄積される差電圧：  ＶV11-SIG −ＶREF   ・・・・・・・・・（１）
Ｃ32に蓄積される差電圧：  ＶV12-SIG −ＶREF   ・・・・・・・・・（２）
但し、入力バッファアンプＡ21とＡ22は、理想的なゲイン＝１のアンプとする。
【手続補正４】
【補正対象書類名】明細書
【補正対象項目名】００１６
【補正方法】変更
【補正の内容】
【００１６】
上記問題点を解決するため、請求項１に係る発明は、光電変換部と、入力部に入力された該光電変換部の出力を増幅して画素信号を出力する増幅部と、前記入力部をリセットするリセット部とを含んだ画素を行方向及び列方向に二次元的に配置した画素部と、該画素部の読み出し行を選択する垂直走査部と、単位画素毎に、前記光電変換部の出力に係る前記画素信号の第１出力レベルと、前記リセット時における前記画素信号に係る第２出力レベルとの差成分を得ることでノイズ抑圧を行うノイズ抑圧処理機能及び所定方向の複数の前記画素信号を混合する信号混合処理機能とを備えたノイズ抑圧部と、該ノイズ抑圧部を経た前記水平方向に係る画素信号を順次、水平信号線から出力させる水平走査部と、前記ノイズ抑圧処理後の画素信号を前記水平信号線に出力させる第１のモード及び前記ノイズ抑圧処理と前記信号混合処理の並列処理後の画素信号を前記水平信号線に出力させる第２のモードの各モードに応じた制御を行うモード制御部とを備えて固体撮像装置を構成するものである。
【手続補正５】
【補正対象書類名】明細書
【補正対象項目名】００１８
【補正方法】変更
【補正の内容】
【００１８】
請求項２に係る発明は、請求項１に係る固体撮像装置において、前記ノイズ抑圧部は、前記列毎に設けられた容量と、少なくとも２つ以上の前記容量を接続するスイッチとを有し、前記モード制御部は、前記第２のモードにおいて、前記容量に前記第１出力レベル又は前記第２出力レベルのいずれか一方の出力レベルの印加に引き続いて他方の出力レベルの印加が行われるサンプル期間内で、前記スイッチによる複数の前記容量の接続を実行するように制御することを特徴とするものである。
【手続補正６】
【補正対象書類名】明細書
【補正対象項目名】００２０
【補正方法】変更
【補正の内容】
【００２０】
請求項３に係る発明は、請求項１に係る固体撮像装置において、前記ノイズ抑圧部は、前記列毎に、第１の容量と、第２の容量と、前記第１の容量と前記第２の容量とを接続する第１のスイッチと、複数の前記第１の容量を接続する第２のスイッチとを有し、前記モード制御部は、前記第２のモードにおいて、前記第１の容量に前記第１出力レベル又は前記第２出力レベルのいずれか一方の出力レベルの印加に引き続いて他方の出力レベルの印加が行われるサンプル期間内で、前記第２のスイッチによるＮ個（但し、Ｎ≧２）の前記第１の容量の接続、且つ前記第１のスイッチによるＭ個（但しＭ＜Ｎ）の前記第２の容量の接続を実行するように制御することを特徴とするものである。
【手続補正７】
【補正対象書類名】明細書
【補正対象項目名】００２２
【補正方法】変更
【補正の内容】
【００２２】
請求項４に係る発明は、請求項１に係る固体撮像装置において、前記ノイズ抑圧部は、前記列毎であって且つ複数の行の各々に対応して並列に設けられた複数の第１の容量と、前記列の複数の第１の容量を選択的に接続する第１のスイッチとを有し、前記モード制御部は、前記第２のモードにおいて、前記第１の容量に前記第１出力レベル又は前記第２出力レベルのいずれか一方の出力レベルの印加に引き続いて他方の出力レベルの印加が行われるサンプル期間内で、前記第１のスイッチにより選択された同一列に係る複数の前記第１の容量の接続を実行するように制御することを特徴とするものである。
【手続補正８】
【補正対象書類名】明細書
【補正対象項目名】００２６
【補正方法】変更
【補正の内容】
【００２６】
請求項６に係る発明は、請求項４に係る固体撮像装置において、前記ノイズ抑圧部は、異なる前記列の前記第１の容量を複数接続する第２のスイッチを更に有し、前記モード制御部は、前記第２のモードにおいて、前記サンプル期間内で、前記第２のスイッチにより異なる前記列の前記第１の容量の複数接続を実行するように制御することを特徴とするものである。
【手続補正９】
【補正対象書類名】明細書
【補正対象項目名】００２８
【補正方法】変更
【補正の内容】
【００２８】
請求項７に係る発明は、請求項６に係る固体撮像装置において、前記ノイズ抑圧部は、第２の容量と、前記第１の容量と前記第２の容量とを接続する第３のスイッチとを更に有し、前記モード制御部は、第２のモードにおいて、前記サンプル期間内で、前記第２のスイッチによるＮ個（但し、Ｎ≧２）の前記第１の容量を接続、且つ前記第３のスイッチによるＭ個（但しＭ＜Ｎ）の前記第２の容量の接続を実行するように制御することを特徴とするものである。
【手続補正１０】
【補正対象書類名】明細書
【補正対象項目名】００４１
【補正方法】変更
【補正の内容】
【００４１】
ここで、ノイズ抑圧部４において、サンプル制御ラインφＳＨ＝Ｈ及びクランプ制御ラインφＣＬ＝Ｈとすることで、サンプル用トランジスタＭ21とＭ22及びクランプ用トランジスタＭ31とＭ32がＯＮ状態となり、クランプ出力ラインＣＬ11とＣＬ12は基準電圧ラインＲＥＦの電圧値ＶREF に設定され、クランプ用容量Ｃ31とＣ32には、次式（８），（９）に示す差電圧が蓄積される。
Ｃ31に蓄積される差電圧：  ＶV11-SIG −ＶREF   ・・・・・・・・・（８）
Ｃ32に蓄積される差電圧：  ＶV12-SIG −ＶREF   ・・・・・・・・・（９）